(57)【特許請求の範囲】
【請求項１】
見開かれた製本型原稿の綴じ部を横切る方向に移動し、頁をめくる走行体を備える画像読み取り装置において、
前記走行体は、原稿面上を走査して画像を読み取る読み取り手段と、前記製本型原稿の頁をめくり上げる頁めくり上げ手段と、前記頁めくり上げ手段によりめくり上げられた頁を保持する保持手段と、前記保持手段を原稿面に対して起立の位置に回動させる回動手段と、
前記保持手段は、駆動源からの駆動力を伝達する駆動ギアと、頁を間に案内する一対のガイド板と、このガイド板に頁を当接させて搬送する搬送ローラと、前記駆動ギアと噛合して前記搬送ローラを駆動する搬送ギアとを備え、前記ガイド板が起立したとき、前記駆動ギアと前記搬送ギアとの噛合が解除されることを特徴とする画像読み取り装置。
【請求項２】
前記保持手段が頁を保持した状態において、前記走行体が前記製本型原稿の綴じ部の位置に到達したとき、前記回動手段は、前記保持手段を起立させることを特徴とする請求項１に記載の画像読み取り装置。
【請求項３】
前記保持手段は、前記保持手段に保持された頁のうち、前記保持手段に保持されている部分と原稿面部分との間のたわみ部分における角度が、９０度を越える位置に起立することを特徴とする請求項１又は２に記載の画像読み取り装置。
【請求項４】
前記回動手段は、通電により可動鉄心が移動する電磁装置と、一端を前記可動鉄心に連結した連結体とを備え、前記連結体の他端は前記保持手段に連結され、前記可動鉄心の移動により、前記保持手段が、起立することを特徴とする請求項１乃至３のいずれか一項に記載の画像読み取り装置。
【発明の詳細な説明】
【０００１】
【発明の属する技術分野】
本発明は、複写機、ファクシミリ、及びスキャナ等の画像を読み取り装置として使用される、本原稿等の頁めくり機能を有する画像読み取り装置に関する。
【０００２】
【従来の技術】
従来、製本型原稿の頁をめくる頁めくり機能を有する画像読み取り装置として、特開平７−３０７８４５号公報には、図１３に示すように、めくりベルト１００に吸着した頁１０３を一対のガイド板１０１間に収納して、頁のめくり方向に走行体１０５が移動することにより、頁をめくる技術が開示されている。
【０００３】
【発明が解決しようとする課題】
しかし、上述の技術では、頁１０３にストレスをかけながら走行体１０５が移動するので、頁１０３が損傷する虞があった。また、走行体１０５が製本型原稿１０７の綴じ部１０７ａを過ぎると、図１４に示すように、頁１０３のたわみ部分１０３ａがなす角度Ｂが鋭角になるので、頁１０３の折れ等、頁１０３が損傷する虞があった。
【０００４】
そこで、本発明は、頁の損傷を防止する画像読み取り装置を提供することを特徴とする。
【０００５】
【課題を解決するための手段】
請求項１に記載の発明は、見開かれた製本型原稿の綴じ部を横切る方向に移動し、頁をめくる走行体を備える画像読み取り装置において、前記走行体は、原稿面上を走査して画像を読み取る読み取り手段と、前記製本型原稿の頁をめくり上げる頁めくり上げ手段と、前記頁めくり上げ手段によりめくり上げられた頁を保持する保持手段と、前記保持手段を原稿面に対して起立の位置に回動させる回動手段と、前記保持手段は、駆動源からの駆動力を伝達する駆動ギアと、頁を間に案内する一対のガイド板と、このガイド板に頁を当接させて搬送する搬送ローラと、前記駆動ギアと噛合して前記搬送ローラを駆動する搬送ギアとを備え、前記ガイド板が起立したとき、前記駆動ギアと前記搬送ギアとの噛合が解除されることを特徴とする。
【０００６】
この請求項１に記載の発明では、原稿面の画像を読み取り手段が読み取った後、頁めくり上げ手段によりめくり上げられた頁を保持している保持手段は、回動手段により原稿面に対して起立の位置に回動する。保持手段が、原稿面に対して起立の位置に位置していることにより、めくり上げられた頁のたわみ部分が緩やかになるので、頁にストレスがかかりにくくなり、頁の損傷を防止する。
また、この請求項１に記載の発明では、ガイド板が起立したとき、駆動ギアと搬送ギアとの噛合が解除されることにより、ガイド板間に搬送された頁に対する搬送ローラの負荷が低減するので、頁全体に対するストレスが更に低減し、頁の損傷を更に防止する。
【０００７】
請求項２に記載の発明は、請求項１に記載の発明において、前記保持手段が頁を保持した状態において、前記走行体が前記製本型原稿の綴じ部の位置に到達したとき、前記回動手段は、前記保持手段を起立させることを特徴とする。
【０００８】
この請求項２に記載の発明では、走行体が綴じ部の位置に到達すると、頁のたわみが大きくなって頁が損傷する要因となるが、このときに、保持手段は起立することにより、頁のたわみを小さくできる。
【０００９】
請求項３に記載の発明は、請求項１又は２に記載の発明において、前記保持手段は、前記保持手段に保持された頁のうち、前記保持手段に保持されている部分と原稿面部分との間のたわみ部分における角度が、９０度を越える位置に起立することを特徴とする。
【００１０】
この請求項３に記載の発明では、頁のたわみ部分における角度が、９０度を越えていることにより、頁が折れにくくなるので、頁の損傷を更に防止する。
【００１１】
請求項４に記載の発明は、請求項１乃至３のいずれか一項に記載の発明において、前記回動手段は、通電により可動鉄心が移動する電磁装置と、一端を前記可動鉄心に連結した連結体とを備え、前記連結体の他端は前記保持手段に連結され、前記可動鉄心の移動により、前記保持手段が、起立することを特徴とする。
【００１２】
この請求項４に記載の発明では、電磁装置と連結体とを備えるだけであり、構成が簡単である。
【００１９】
【発明の実施の形態】
以下、添付図面を参照しながら本発明の第一実施の形態を説明する。図１は、複写機に備えられ、頁めくり機能と画像読み取り機能とを併せ持つ画像読み取り装置の構成を示している。画像読み取り装置１の本体の上半分はスキャナユニット３になっており、走査ユニット（走行体）５は、このスキャナユニット３の内部を図１において、左右方向に走行して、原稿台７に見開かれて載置された本原稿（製本型原稿）９の走査を行う。
【００２０】
走査ユニット５の下側の左右には、原稿押えローラ１５ａ、１５ｂが、回転自在に軸支されている。これら原稿押えローラ１５ａ、１５ｂには、本原稿９を押える原稿押えシート１６ａ、１６ｂがそれぞれ、掛け渡されている。走査ユニット５は、画像読み取り部（読み取り手段）１１と、吸着ベルト（頁めくり上げ手段）１３と、ガイド部（保持手段）１４とを有している。
【００２１】
図２に示すように、画像読み取り部１１は、コンタクトガラス２３を有しており、コンタクトガラス２３の近傍には、本原稿照明用の二つの光源２５、２５が、それぞれ配置されている。これらの光源２５、２５によって照明された本原稿像は、図２において、第一ミラー２７に反射した後、第二ミラー２９と第三ミラー３１に交互に反射し、最後にレンズ３３を透過して、光源素子３５上に縮小結象される。
【００２２】
吸着ベルト１３は、原稿押えローラ１５ａ、１５ｂの間に位置し、吸着ベルト駆動ローラ１９とめくりローラ２１に掛け渡されている。吸着ベルト１３は、本原稿９の頁を吸着し、図示しない駆動手段により、吸着ベルト駆動ローラ１９を中心に、めくりローラ２１が上方に持ち上げられる（図中実線の位置）ことで、頁をガイド部１４へ持ち上げる。
【００２３】
ガイド部１４は、一対のガイド板３７、３７と、搬送ローラ３９とを有しており、めくりローラ２１により持ち上げられた頁を、一対のガイド板３７、３７の入口部３７ａから案内する。図３に示すように、一対のガイド板３７、３７は、後述する電磁装置（回動手段）４１により、ねじりコイル４４の付勢力に抗して図中実線の位置から、一点鎖線で示す起立の位置に、回動支点４８を中心に回動する。なお、一対のガイド板３７、３７は、ねじりコイル４４の付勢力により図中実線の位置から、一点鎖線で示す起立の位置に、回動支点４８を中心に回動する構成にしても良い。
【００２４】
電磁装置４１は、一対のガイド板３７、３７の上方に位置しており、可動鉄心４１ａを有している。電磁装置４１に電流を流す（通電する）と、可動鉄心４１ａは励磁により電磁装置４１内に引っ込み、電流を止めると、電磁装置４１から突出する。このように可動鉄心４１ａは、図３において左右方向（矢印方向）に移動し、この可動鉄心４１ａに連結されているリンク（連結体）を駆動する。
【００２５】
リンク４３は、第一アーム４５と第二アーム４７とを、軸４６により連結して構成されている。第一アーム４５の一端部（リンクの一端部）４５ａは、可動鉄心４１ａに連結されており、第二アーム４７の一端部（リンクの他端部）４７ａは、上のガイド板３７に回動可能に連結されている。
【００２６】
また、電磁装置４１は、制御手段４２によりその駆動を制御されいる。制御手段４２は、一対のガイド板３７、３７間に頁を保持した状態において、走査ユニット５が本原稿９の綴じ部に到達すると、電磁装置４１を駆動する。
【００２７】
制御手段４２による電磁装置４１の駆動により、図３において、リンク４３は、実線の位置から一点鎖線の位置に支点４９を介して移動する。即ち、電磁装置４１への通電により、実線の位置から一点鎖線の位置にリンク４３が移動すると、一対のガイド板３７、３７は、リンク４３の第二アーム４７により実線の位置から破線の位置に回動して起立する。
【００２８】
搬送ローラ３９は、一対のガイド板３７、３７における頁の入口部３７ａ近傍に配置されており、図３において、上のガイド板３７に頁を当接させて一対のガイド板３７、３７の出口部３７ｂに向けて搬送する。なお、一対のガイド板３７、３７の回動支点４８は、搬送ローラ３９のギア軸と同軸上にある。
【００２９】
次に、上述した構成に基づき、第一実施の形態の作用を説明する。図４に示すように、走査ユニット５は、本原稿９に対する読み取り動作開始ポイントであり、且つ頁めくり動作終了ポイントであるホームポジションに位置している。このホームポジションから、走査ユニット５は図の右方向（矢印方向）へ移動して、画像読み取り部１１は、本原稿９の原稿面を読み取る。
【００３０】
画像読み取り部１１が、本原稿９の読み取りを終えると、図５の矢印に示すように、走査ユニット５は、移動方向を逆転させてホームポジションに向かって移動する。図６に示すように、走査ユニット５の左方向の移動とともに、吸着ベルト１３が本原稿９の右側の頁に到達すると、吸着ベルト１３は、本原稿９の最上位の頁を吸着して本原稿９の上方（図２の実線の位置）にめくり上げる。
【００３１】
めくり上げられた頁は、図７に示すように、一対のガイド板３７、３７間に収納され、収納された頁は、搬送ローラ３９により出口部３７ｂに向けて搬送される。この状態で走査ユニット５は移動し、図８に示すように、走査ユニット５が、本原稿９の綴じ部の位置に到達したとき、制御手段４２による電磁装置４１の駆動が開始されて、一対のガイド板３７、３７は回動を開始する。即ち、走行ユニット５が、綴じ部の位置に到達したとき、頁のたわみが大きくなって、頁が損傷する要因となるが、このときに、一対のガイド板３７、３７を回動させるので、たわみを小さくできる。
【００３２】
図９に示すように、電磁装置４１の駆動により、一対のガイド板３７、３７は、頁を収納（保持）したまま、原稿面に対して起立の位置（図３の一点鎖線の位置）に回動する。このとき、図１０に示すように、一対のガイド板３７、３７に保持されている頁のうち、一対のガイド板３７、３７に保持されている部分と原稿面部分との間のたわみ部分のにおける角度Ａが、９０度を越えるように（鈍角になるように）、一対のガイド板３７、３７は起立させられる。
【００３３】
このように、一対のガイド板３７、３７が、原稿面に対して起立することにより、めくり上げられた頁のたわみ部分が緩やかになるので、頁にストレスがかかりにくくなり、頁の損傷を防止する。また、頁のたわみ部分における角度Ａが、９０度を越えていることにより、めくり上げられた頁が折れにくくなり、頁の損傷を更に防止する。
【００３４】
次に、第二及び第三実施の形態を説明するが、その説明にあたり、上述の部分と同一の部分には同一の符号を付し、その説明を省略する。
【００３５】
図１１に第二実施の形態におけるガイド部１４を示す。ガイド部１４は、一対のガイド板３７、３７に設けられた搬送ローラ３９と、この搬送ローラ３９を駆動する搬送ギア５１と、この搬送ギア５１と噛合して図示しない駆動源からの駆動力を伝達する駆動ギア５３と、搬送ローラ３９より入口部３７ａ側に位置している回動支点５５とを有している。
【００３６】
吸着ベルト１３により頁がめくり上げられると、搬送ローラ３９は、駆動ギア５３からの駆動力を伝達された搬送ギア５１により回転し、一対のガイド板３７、３７に収納された頁を、上のガイド板３７に当接させて出口部３７ｂに向けて搬送する。走行ユニット５が本原稿９の綴じ部に到達したとき、上のガイド板３７と搬送ローラ３９とが頁を保持したまま、回動支点５５を中心に、一点鎖線で示す起立の位置に回動する。このとき、搬送ギア５１と駆動ギア５３との噛合が解除される。
【００３７】
こうして、走査ユニット５の移動とともに、一対のガイド板３７、３７間に収納されている頁は、上のガイド板３７と搬送ローラ３９とにより保持されながらめくられる。なお、一対のガイド板３７、３７が起立の位置に回動したときでも、頁は、上のガイド板３７と搬送ローラ３９により保持されているので自由落下しない。
【００３８】
搬送ギア５１と駆動ギア５３との噛合が解除されることにより、一対のガイド板３７、３７に搬送された頁に対する搬送ローラ３９の負荷が低減するので、頁全体に対するストレスが更に低減し、頁の損傷を更に防止する。
【００３９】
図１２に第三実施の形態におけるガイド部１４を示す。第三実施の形態は、一対のガイド板３７、３７に、一対の搬送ローラである駆動搬送ローラ５７と従動搬送ローラ５９とを設け、ガイド板３７、３７が起立の位置に回動しないことのみが上述の実施の形態と異なる。
【００４０】
走査ユニット５の移動とともに、頁は、入口部３７ａから一対のガイド板３７、３７に収納される。この頁は、駆動搬送ローラ５７と従動搬送ローラ５９との間に挟まれて出口部３７ｂに向けて搬送されて保持される。このように、頁は、駆動搬送ローラ５７と従動搬送ローラ５９に保持されながらめくられる。頁は、駆動搬送ローラ５７と従動搬送ローラ５９とにより保持されることにより、ストレスがかかりにくくなるので、頁の損傷を防止する。
【００４１】
なお、本発明は、上述の実施の形態に限定されず、その要旨を逸脱しない範囲内において、種々の変形が可能である。例えば、第三実施の形態において、一対のガイド板３７、３７を、起立の位置に回動させても良い。この場合、頁のたわみ部分が緩やかになるとともに、一対のガイド板３７、３７間の頁に対するストレスが、かかりにくくなるので、頁全体に対するストレスを更に低減することができる。
【００４２】
また、第一及び第二実施の形態において搬送ローラ３９の代わりに、第三実施の形態の駆動搬送ローラ５７と従動搬送ローラ５９とを設け、駆動搬送ローラ５７を駆動するギアと駆動ギア５３とを噛合させ、一対のガイド板３７、３７の起立とともに、ギアと駆動ギア５３との噛合を解除する構成にしても良い。
【００４３】
更に、本発明は、複写機に適用したが、これに限定されず、ファクシミリ、スキャナ等に適用しても、同様の作用効果を得る。
【００４４】
【発明の効果】
請求項１に記載の発明では、保持手段が、原稿面に対して起立の位置に位置していることにより、めくり上げられた頁のたわみ部分が緩やかになるので、頁にストレスがかかりにくくなり、頁の損傷を防止する。
また、請求項１に記載の発明では、ガイド板が起立したとき、駆動ギアと搬送ギアとの噛合が解除されることにより、頁全体に対するストレスが更に低減し、頁の損傷を更に防止する。
【００４５】
請求項２に記載の発明では、綴じ部に到達したときに、保持手段は起立することにより、頁のたわみを小さくできる。
【００４６】
請求項３に記載の発明では、頁のたわみ部分における角度が、９０度を越えていることにより、頁が折れにくくなるので、頁の損傷を更に防止する。
【００４７】
請求項４に記載の発明では、電磁装置と連結体とを備えるだけであり、構成が簡単である。
【図面の簡単な説明】
【図１】第一実施の形態にかかる画像読み取り装置の構成を概略的に示す正面図である。
【図２】図１の画像読み取り装置の読み取り部の構成を概略的に示す構成図である。
【図３】ソレノイドによるガイド板の回動を示す構成図である。
【図４】図１の画像読み取り装置における走査ユニットが、ホームポジション位置にいる状態を示す構成図である。
【図５】図１の画像読み取り装置における走査ユニットが、頁めくり開始位置にいる状態を示す構成図である。
【図６】図１の画像読み取り装置における走査ユニットが、頁をめくっている状態を示す構成図である。
【図７】図１の画像読み取り装置における走査ユニットによりめくられた頁が一対のガイド板間に収納されている状態を示す構成図である。
【図８】図１の画像読み取り装置における走査ユニットが、本原稿の綴じ部に到達した状態を示す構成図である。
【図９】図１の画像読み取り装置における一対のガイド板が起立している状態を示す構成図である。
【図１０】図９の状態における一対のガイド板近傍を拡大して示す構成図である。
【図１１】第二実施の形態にかかる一対のガイド板を拡大して示す構成図である。
【図１２】第三実施の形態にかかる一対のガイド板を拡大して示す構成図である。
【図１３】従来にかかる画像読み取り装置を概略的に示す正面図である。
【図１４】図１３の画像読み取り装置におけるガイド板近傍を拡大して示す構成図である。
【符号の説明】
１      画像読み取り装置
５      走査ユニット（走行体）
９      本原稿（製本型原稿）
１１    画像読み取り部（読み取り手段）
１３    吸着ベルト（頁めくり上げ手段）
１４    ガイド部（保持手段）
３７    ガイド板
３９    搬送ローラ
４１    電磁装置（回動手段）
４１ａ  可動鉄心
４３    リンク（連結体）
５１    搬送ギア
５３    駆動ギア
５７    駆動搬送ローラ（一対の搬送ローラ）
５９    従動搬送ローラ（一対の搬送ローラ）
【図１】
0003606357.tif 000002
【図２】
0003606357.tif 000003
【図３】
0003606357.tif 000004
【図４】
0003606357.tif 000005
【図５】
0003606357.tif 000006
【図６】
0003606357.tif 000007
【図７】
0003606357.tif 000008
【図８】
0003606357.tif 000009
【図９】
0003606357.tif 000010
【図１０】
0003606357.tif 000011
【図１１】
0003606357.tif 000012
【図１２】
0003606357.tif 000013
【図１３】
0003606357.tif 000014
【図１４】
0003606357.tif 000015